(57)【要約】【課題】ＡＴＭで正券でない紙幣を入金した利用者を追跡する。【解決手段】紙幣の入金機能を備えるＡＴＭにおいて、鑑別ユニットで利用者によって入金された紙幣の金種判別及び真偽判別を行うと共に、紙幣情報を採取し、その紙幣情報は利用者の口座番号等に対応させて検索用ＤＢ４１に記憶する（第１のデータ）。併せて、鑑別ユニットで正券でないと判別された紙幣の紙幣情報を追跡用ＤＢ４２に記憶しておく（第２のデータ）。第２のデータをキーとして検索用ＤＢ４１を検索して類似する紙幣データを抽出し、その結果から正券でない紙幣を使用した利用者を特定する。【選択図】  図１
2005004486.tif 000002
【特許請求の範囲】
【請求項１】
利用者により入金される紙幣を取扱う紙幣取引装置を含むシステムにおいて、
紙幣の真偽判別及び金種判別を行う鑑別ユニットと、該鑑別ユニットで、正券ではない又は疑いありと判別された紙幣を保管する保管金庫と、利用者によって入金された紙幣に関し、該鑑別ユニットで判定された紙幣の情報を利用者に固有の情報と対応付けて記憶する第１の記憶装置と、該保管金庫に保管された紙幣のうち、利用者を追跡したい紙幣を鑑別ユニットに送り、該鑑別ユニットで採取された該紙幣の情報を記憶する第２の記憶装置と、該第１の記憶装置に記憶された紙幣の情報と該第２の記憶装置に記憶された紙幣の情報とを照合する照合手段とを有し、該照合手段による照合の結果、類似する紙幣に対応する利用者に固有の情報を該第１の記憶装置から出力することを特徴とする紙幣取引システム。
【請求項２】
前記第１の記憶装置は、該鑑別ユニットで取得された紙幣の情報と、ＡＴＭに固有のＩＤ、該紙幣の取引された時刻を関連付けて記憶することを特徴とする請求項１記載の紙幣取引システム。
【請求項３】
前記第１の記憶装置は、該鑑別ユニットで取得された紙幣の情報と、該鑑別ユニットに固有なＩＤ、鑑別プログラムのバージョンを関連付けて記憶することを特徴とする請求項１記載の紙幣取引システム。
【請求項４】
取引きのために利用者の操作を案内する表示操作画面を有する表示操作部を備え、該表示操作部は、利用者を追跡したい紙幣から紙幣の情報を採取するための操作に関するガイダンスを表示することを特徴とする請求項１記載の紙幣取引装置。
【請求項５】
前記鑑別ユニットにおける判別の結果、前記保管金庫に保管される紙幣がある場合、利用者に対して、該紙幣は入金できない旨を表示する表示操作部を有することを特徴とする請求項１記載の紙幣取引装置。
【請求項６】
前記鑑別ユニットにおける判別の結果、前記保管金庫に収納される紙幣がある場合、該紙幣は中央銀行で検証する必要がある旨を印字媒体に印字する印字手段を備え、該媒体を預り証として該紙幣の利用者に対して発行することを特徴とする請求項１記載の紙幣取引装置。
【請求項７】
前記第１の記憶装置と第２の記憶装置は、同じデータベースのそれぞれ異なった領域に形成されることを特徴とする請求項請求項１記載の紙幣取引システム。
【請求項８】
紙幣の入金機能を有する紙幣取引システムにおいて、
紙幣の鑑別ユニットを用いて紙幣の真偽判別を行う鑑別ステップと、
該鑑別において、正券ではない又は疑いありと判別された紙幣を保管金庫に一時保持するステップと、
該鑑別において、正券でない又は疑いありと判別された紙幣であって、中央銀行で鑑定された紙幣を該鑑別ユニットに搬送して、該紙幣から第１の紙幣情報を採取するステップと、
利用者が入金する紙幣に対して、該鑑別ユニットで該紙幣から第２の紙幣情報を得て記憶装置に格納するステップと、
該第１の紙幣情報をキーとして該記憶装置を検索し、類似する第２の紙幣情報を得る検索処理ステップと、
を有することを特徴とする紙幣情報の処理方法。
【請求項９】
第２の紙幣情報をと利用者に固有の情報を関連付けて記憶装置に記憶するステップとを有することを特徴とする請求項８記載の紙幣情報の処理方法。
【請求項１０】
第１の紙幣情報の採取は、該紙幣が使用された同一の紙幣取引装置の鑑別ユニットで行うことを特徴とする請求項８記載の紙幣の処理方法。
【請求項１１】
該鑑別ユニットで正券ではない又は疑いありと判別された紙幣に関しては、検証のため銀行側で預かる旨を表示画面に表示することを特徴とする請求項８記載の紙幣の処理方法。
【請求項１２】
利用者によって入出金される紙幣を取扱う紙幣取引装置を有する支店システムと、該紙幣取引装置を介して取引きされる利用者の口座の残高を管理するホストコンピュータを有するセンタシステムがネットワークで接続されてなる紙幣取引システムにおいて、
該紙幣取引装置は、少なくとも紙幣の入出金を行う入出金機構と、該入出金機構より入金された紙幣の真偽判別及び金種判別を行う鑑別ユニットと、該鑑別ユニットで正券であると判別された紙幣を、出金用としてリサイクルするために保管する第１の保管庫と、該鑑別ユニットで、正券ではない又は疑いありと判別された紙幣を一時保管する第２の保管庫とを有し、かつ
利用者によって投入された紙幣に関し、該鑑別ユニットで判定された紙幣の情報を利用者に固有の情報と対応付けて記憶する第１の記憶部と、該第２の保管庫に保管された紙幣のうち、利用者を追跡したい紙幣に関して、該鑑別ユニットから採取された紙幣情報を記憶する第２の記憶部とを有するＤＢと、該第１の記憶部に記憶された紙幣情報と該第２の記憶部に記憶された紙幣情報とを照合するコンピュータとを有し、該コンピュータによる照合の結果、類似する紙幣情報に対応する該第１の記憶部に格納されている利用者に固有の情報を出力することを特徴とする紙幣取引システム。
【請求項１３】
前記ＤＢはＡＴＭに備えられ、該コンピュータは支店システムに備えられるパーソナルコンピュータであることを特徴とする請求項１２に記載の紙幣取引システム。
【請求項１４】
前記ＤＢ及び該コンピュータは、支店システム毎に備えられることを特徴とする請求項１２に記載の紙幣取引システム。
【請求項１５】
前記コンピュータは、追跡すべき紙幣に関する該ＤＢを検索するための条件を入力する入力手段と、検索の条件及び紙幣情報の照合の結果を表示するための表示手段を有することを特徴とする請求項１２に記載の紙幣取引システム。
【請求項１６】
ＡＴＭを利用して紙幣の入金処理を行う紙幣取引システムにおいて、
入金される紙幣に対して鑑別ユニットを用いて真偽判別を行い、正券と判別された場合、センタシステムに備えられるＤＢ内の利用者の口座残高を更新する入金処理モードと、
正券でない又は疑いありと判別された該紙幣であって中央銀行における鑑別の結果、正券でないと判別されて紙幣に関して、鑑別ユニットで判別を行って紙幣情報を得て、記憶装置に記憶する第１の記憶モードと、
利用者により入金される紙幣に関して該鑑別ユニットで真偽判別を行うと共に、該紙幣情報を利用者に固有の情報と関連付けて記憶装置に記憶する第２の記憶モードと、
該第１の記憶モードによって該記憶装置に記憶された紙幣情報に関し、コンピュータを用いて該第２の記憶モードで記憶された該記憶装置内の紙幣情報を検索して、類似する紙幣情報を得る検索処理モードと、
を有する紙幣情報処理システム。
【請求項１７】
該第２の記憶モードでは、利用者がＡＴＭで入金の取引きを行う毎に、該鑑別ユニットから取得された情報に基づいて作成される紙幣データを含むファイルを作成して該記憶装置に記憶することを特徴とする請求項１６記載の紙幣情報処理システム。
【請求項１８】
前記ファイルは、全体ヘッダ部、インデックス部、紙幣データ部から構成されることを特徴とする請求項１７記載の紙幣取引システム。
【請求項１９】
利用者から入金される紙幣の内、正券でないと判別された紙幣に関しては、センタシステムに備えられるＤＢの当該利用者の口座残高が更新されないことを特徴とする請求項１２又は１６記載のシステム。
【請求項２０】
利用者から入金される紙幣の内、正券でない疑いありと判別された紙幣の金額に関しては、センタシステムに備えられるＤＢの当該利用者の口座残高が更新されることを特徴とする請求項１２又は１６記載のシステム。
【発明の詳細な説明】
【０００１】
【発明の属する技術分野】
本発明は紙幣取引システムに係り、特にＡＴＭ（現金自動取引装置）や両替機などのように紙幣の預け入れ機能を備える紙幣取引装置において、正券でないと判別される紙幣に関する情報の取扱い、及びその紙幣の利用者を特定するための紙幣情報処理システムに関するものである。
【０００２】
【従来の技術】
ＡＴＭや両替機などの紙幣取引装置は鑑別部を備え、預け入れられる紙幣の真偽を判別している。これらの装置に預け入れられる紙幣が鑑別部で偽札即ち正券でないと判別された場合、その紙幣が本当に偽札であるかを確認するためにその紙幣を本来の紙幣（正券）とは別に取り扱ったり、またその紙幣の利用者を突き止めて偽札の流通ルートを追跡することが重要である。
【０００３】
これに関係するものとして、例えば、特開２０００−３２２６３２号公報（特許文献１）には、鑑別部における紙幣の鑑別の結果、偽と判明した場合、その装置を使用した利用者の指紋等の身体的特徴を当該紙幣の番号やタイムスタンプ等の情報と共にメモリに記憶しておき、それらの情報に基づいて利用者を追跡できるようにした技術が開示されている。
【０００４】
【特許文献１】
特開２０００−３２２６３２号公報
【０００５】
【発明が解決しようとする課題】
上記特許文献１に記載の技術では、メモリに記憶される指紋、及びタイムスタンプ、紙幣の番号等の情報は、紙幣等の取扱装置の利用者を特定するための重要な証拠データとして保存される。しかし、紙幣等の取扱装置がそれらの証拠データに基づいて、どのように利用者を特定するかと言う紙幣追跡システムについては詳細に言及されていない。また、偽と判定された紙幣のその後の取扱いについても、特に詳述されていない。
【０００６】
本発明の目的は、正券でない紙幣を使用した利用者を追跡するために必要な紙幣の情報を確保することができる紙幣情報処理システムを提供することにある。本発明の他の目的は、確保された紙幣の情報を検索することにより正券でない紙幣を利用した者を特定することができる紙幣取引システムを提供することにある。
【０００７】
【課題を解決するための手段】
本発明は、利用者により入金される紙幣を取扱う紙幣取引装置を含むシステムにおいて、紙幣の真偽判別及び金種判別を行う鑑別ユニットと、鑑別ユニットで、正券ではない又は疑いありと判別された紙幣を保管する保管金庫と、利用者によって入金された紙幣に関し、鑑別ユニットで判定された紙幣の情報を利用者に固有の情報と対応付けて記憶する第１の記憶装置と、保管金庫に保管された紙幣のうち、利用者を追跡したい紙幣を鑑別ユニットに送り、鑑別ユニットで採取された紙幣の情報を記憶する第２の記憶装置と、第１の記憶装置に記憶された紙幣の情報と第２の記憶装置に記憶された紙幣の情報とを照合する照合手段とを有し、照合手段による照合の結果、類似する紙幣に対応する利用者に固有の情報を第１の記憶装置から出力するように構成したものである。
【０００８】
好ましい例では、第１の記憶装置には、該鑑別ユニットで取得された紙幣の情報と、ＡＴＭに固有のＩＤ、紙幣の取引された時刻を関連付けて記憶される。また、第１の記憶装置には、該鑑別ユニットで取得された紙幣の情報と、該鑑別ユニットに固有なＩＤ、鑑別プログラムのバージョンを関連付けて記憶される。
【０００９】
更に好ましくは、取引きのために利用者の操作を案内する表示操作画面を有する表示操作部を備え、表示操作部は、利用者を追跡したい紙幣から紙幣の情報を採取するための操作に関するガイダンスを表示する。また、鑑別ユニットにおける判別の結果、保管金庫に保管される紙幣がある場合、利用者に対して、該紙幣は入金できない旨を表示操作部に表示する。
【００１０】
また好ましくは、鑑別ユニットにおける判別の結果、前記保管金庫に収納される紙幣がある場合、この紙幣は中央銀行で検証する必要がある旨を印字媒体に印字する印字手段を備え、この印字媒体を預り証として紙幣の利用者に対して発行する。
【００１１】
好ましい例では、前記第１の記憶装置と第２の記憶装置は、同じデータベースのそれぞれ異なった領域に形成される。
【００１２】
本発明は、また、紙幣の入金機能を有する紙幣取引システムにおいて、紙幣の鑑別ユニットを用いて紙幣の真偽判別を行う鑑別ステップと、鑑別において、正券ではない又は疑いありと判別された紙幣を保管金庫に一時保持するステップと、鑑別において、正券でない又は疑いありと判別された紙幣であって、中央銀行で鑑定された紙幣を鑑別ユニットに搬送して、紙幣から第１の紙幣情報を採取するステップと、利用者が入金する紙幣に対して、鑑別ユニットで紙幣から第２の紙幣情報を得て記憶装置に格納するステップと、第１の紙幣情報をキーとして記憶装置を検索し、類似する第２の紙幣情報を得る検索処理ステップとを有する紙幣情報の処理方法としても把握される。
第１の紙幣情報の採取は、紙幣が使用された同一の紙幣取引装置の鑑別ユニットで行うことが好ましい。鑑別ユニットで正券ではない又は疑いありと判別された紙幣に関しては、例えば検証のため銀行側で預かる旨が表示画面に表示される。
【００１３】
本発明は、また、利用者によって入出金される紙幣を取扱う紙幣取引装置を有する支店システムと、紙幣取引装置を介して取引きされる利用者の口座の残高を管理するホストコンピュータを有するセンタシステムがネットワークで接続されてなる紙幣取引システムにおいて、紙幣取引装置は、少なくとも紙幣の入出金を行う入出金機構と、入出金機構より入金された紙幣の真偽判別及び金種判別を行う鑑別ユニットと、鑑別ユニットで正券であると判別された紙幣を、出金用としてリサイクルするために保管する第１の保管庫と、鑑別ユニットで、正券ではない又は疑いありと判別された紙幣を一時保管する第２の保管庫とを有し、かつ利用者によって投入された紙幣に関し、鑑別ユニットで判定された紙幣の情報を利用者に固有の情報と対応付けて記憶する第１の記憶部と、第２の保管庫に保管された紙幣のうち、利用者を追跡したい紙幣に関して、鑑別ユニットから採取された紙幣の情報を記憶する第２の記憶部とを有するＤＢと、第１の記憶部に記憶された紙幣の情報と第２の記憶部に記憶された紙幣の情報とを照合するコンピュータとを有し、このコンピュータによる照合の結果、類似する紙幣の情報に対応する第１の記憶部に格納されている利用者に固有の情報を出力する紙幣取引システムとして把握される。
【００１４】
好ましい例では、このコンピュータは、追跡すべき紙幣に関する該ＤＢを検索するための条件を入力する入力手段と、検索の条件及び紙幣情報の照合の結果を表示するための表示手段を有するパーソナルコンピュータであり、実施例では端末装置２として説明される。上記ＤＢ及びこのコンピュータは、例えば支店システム毎に備えられる。
【００１５】
本発明はまた、ＡＴＭを利用して紙幣の入金処理を行う紙幣取引システムにおいて、入金される紙幣に対して鑑別ユニットを用いて真偽判別を行い、正券と判別された場合、センタに備えられるＤＢ内の利用者の口座残高を更新する入金処理モードと、正券でない又は疑いありと判別された紙幣であって中央銀行における鑑別の結果、正券でないと判別されて紙幣に関して、鑑別ユニットで判別を行って紙幣情報を得て、記憶装置に記憶する第１の記憶モードと、利用者により入金される紙幣に関して鑑別ユニットで真偽判別を行うと共に、紙幣の情報を利用者に固有の情報と関連付けて記憶装置に記憶する第２の記憶モードと、第１の記憶モードによって記憶装置に記憶された紙幣情報に関し、コンピュータを用いて第２の記憶モードで記憶された記憶装置内の紙幣情報を検索して、類似する紙幣情報を得る検索処理モードとを有する紙幣情報処理システムとして把握される。
【００１６】
上記第２の記憶モードでは、好ましくは利用者がＡＴＭで入金の取引きを行う毎に、鑑別ユニットから取得された情報に基づいて作成される紙幣データを含むファイルを作成して記憶装置に記憶する。
【００１７】
【発明の実施の形態】
以下、図面を参照して本発明の実施例を説明する。
図１は、銀行の全体のシステムを示す図である。
銀行システムは、複数の支店１０と本店６０がネットワーク５０によって接続されて構成される。各支店１０は、複数のＡＴＭ１、追跡用の端末装置２、及び紙幣情報を格納するデータベースＤＢ４が、支店内のＵＳＢ回線又はＬＡＮのようなネットワークに接続されている。尚、ＡＴＭ１に限らず、紙幣を受入れる両替機や預金専用機のような紙幣取引装置が含まれてもよい。銀行システムにおけるこれらＡＴＭ１を含む紙幣取引装置には固有の識別コード（ＡＴＭＩＤ）が付与される。また、各ＡＴＭ１内の鑑別ユニット３にも固有の識別コード（鑑別ユニットＩＤ）が付与される。いずれのＡＴＭの鑑別ユニットで、偽の紙幣が扱われたかを追跡するためである。
【００１８】
端末装置２は、例えばパーソナルコンピュータであり、入力部、表示部、記憶部を有すると共に、処理装置を有する。本発明の実施例において、処理装置は紙幣の検索用のエンジン２１として機能する。
また、紙幣情報ＤＢ４は、検索用ＤＢ４１と追跡用紙幣ＤＢ４２から構成される。検索用ＤＢ４１は、鑑別ユニット３で採取された紙幣データを記憶する。追跡用紙幣ＤＢ４２は追跡すべき紙幣データを記憶する。それらの記憶の形式および動作については、後で詳述する。
【００１９】
本店６０は、支店と同様に店内のネットワークにＡＴＭ１が接続されるが、銀行センタとしての機能も有する。即ち、ネットワークにはホストコンピュータ６１及び大容量のＤＢ６２が接続される。ホストコンピュータ６１は、銀行システム全体の業務管理のための情報処理を行う他に、銀行の顧客に対するサービスのための情報処理、例えば口座残高の更新処理を行う。ＤＢ６２は、銀行の利用者の口座番号に対応して残高情報を記憶する。
【００２０】
図２はＡＴＭ１の構成ブロックを示す。
制御ユニット３０は、ＡＴＭ全体を制御するためのプロセッサ（図示せず）を備えており、以下に説明する各ユニットを制御する。ガイダンス表示操作部３１は、ＡＴＭの取引きに際して利用者の操作を案内するものであり、例えばタッチパネル式の表示器と入力部を有して構成される。紙幣入出金機構３２は、ＡＴＭに入金又は出金される紙幣をセットする。印字ユニット３３は、通帳や明細票、預り証などの印字媒体に取引の情報を印字する。
【００２１】
鑑別ユニット３は、入金される紙幣の寸法（縦横の長さ）の判定、金種の判定、真偽の判定を行う。本発明によればその判定の結果に応じて、以後の紙幣の取扱いが異なってくる。また鑑別ユニット３から採取された紙幣の情報に関しては、特徴的な処理がされる。
記憶ユニット３４は、ＡＴＭ１の取引情報や管理情報を記憶する。そのために、ＡＴＭ装置情報記憶部３４１、顧客情報記憶部３４２、検索紙幣データ記憶部３４３、追跡用紙幣データ記憶部３４４を有する。ＡＴＭ装置情報記憶部３４１はＡＴＭＩＤを記憶する。顧客情報記憶部３４２は顧客の取引情報を記憶する。後で詳述するが、検索紙幣データ記憶部３４３は鑑別ユニット３から採取された紙幣データを一時的に記憶する。追跡用紙幣データ記憶部３４４は、追跡すべき紙幣の紙幣データを記憶する。
【００２２】
紙幣一時保管金庫３５は、鑑別ユニット３８で判別された紙幣であって、保管金庫３６又はリサイクル金庫３７に保管される前の紙幣を一時的に保管する。リサイクル金庫３７は、鑑別ユニット３８で正券と判定された紙幣を、リサイクル即ち出金用として再使用するために保管する。通常、ＡＴＭでは千円券と万円券が扱われるのでこれらの紙幣はリサイクル金庫３７では分けて収納される。保管用金庫３６は、本実施例に特徴的なものであり、鑑別ユニット３で正券でない、又は疑いありと判別された紙幣（カテゴリー２，３）を保管する。これの処理については後で詳述する。
時計３８は、年月日及び時刻を計時する。計時結果は取引の明細票に印字されたり、記憶ユニット３４に記憶される。制御ユニット３０は、また通信部３９を介してネットワーク４０に接続される。
【００２３】
さて、顧客が入金のためにＡＴＭ１の紙幣入出金機構３２の入出金口にセットした紙幣は鑑別ユニット３に搬送され、そこで紙幣の寸法、金種、及び真偽の判別が行われる。判別の結果として、紙幣は図５の表に示すように４つのカテゴリーに分類される。
１．カテゴリー１：紙幣として認識されないもの。（モード１）
絵柄や寸法が異なるもの。寸法が同じであっても破損したり折れたりしているもの、更には折れ券や単なる紙切れなども含まれる。
処置として、この紙幣は紙幣入出金機構３２に搬送されて、顧客に返却される。２．カテゴリー２：正券ではないと認識されたもの。（モード２）
絵柄や寸法についての判定結果は許容範囲内であるが、金種の判定結果が許容値内のもの。磁気特性や光学特性が許容範囲内に無いもの。
処置として、この紙幣は顧客には返却されず、紙幣一時保管金庫３５に収納される。またこの紙幣の金額は顧客の口座にも入金されないで、保留にされる。更にこの紙幣は中央銀行に送られ、そこで鑑定される。
３．カテゴリー３：正券でない疑いがあると認識されたもの。（モード３）
絵柄や寸法は正しい（寸法及び金種の判定結果は許容範囲内である）が、諸特性が許容範囲外と判定されたもの。例えば、鑑別ユニットの性能（各種センサ類）のばらつきや紙幣の印刷模様のばらつき等によって起こり得る。
処置として、この紙幣はＡＴＭ１に受入れられ、紙幣一時保管金庫３５に保管される。併せてその金額は顧客の口座に入金される。この紙幣は疑いがあるので、中央銀行に送られ、そこで鑑定される。
尚、カテゴリー２の紙幣とカテゴリー３の紙幣を銀行員が回収する際に、両者を容易に分類できるように、カテゴリー２とカテゴリー３の一時保管金庫を別々に分ける構造のものとしてもよい。
４．カテゴリー４：正券と認識されるもの。（モード４）
寸法、金種、真偽の判定結果がいずれも許容範囲内であるもの。
処置として、この紙幣は受入れられ、その金額は顧客の口座に入金される。また、再利用させるために、紙幣リサイクル金庫３７に収納される。
【００２４】
図３に示す紙幣データの追跡システムの概略的な図を参照するに、鑑別ユニット３は、紙幣を判別して４つのカテゴリーに分類すると共に、ＡＴＭの利用者（入金者）を追跡するために、入金された紙幣から必要な紙幣データを採取する。採取された紙幣データは制御ユニット３０の制御の下、記憶ユニット３４の検索紙幣データ記憶部３４３に一時的に保持される。入金処理に際しては、顧客の取引情報（即ち入金金額）も顧客の固有の情報例えば口座番号とともに顧客情報記憶部３４２に記憶される。
【００２５】
本実施例では、各支店ごとに紙幣情報ＤＢ４を持っているので、ＡＴＭ１内の記憶ユニット３、とりわけＡＴＭ装置情報記憶部３４１、顧客情報記憶部３４２、検索紙幣データ記憶部３４３に一時的に格納されている情報は、支店内で集められて検索ＤＢ４１に記憶される（第２の記憶モード）。
【００２６】
カテゴリー２又はカテゴリー３と判別され、紙幣一時保管金庫３５に保管されている紙幣Ａは、正券か否かの詳細な鑑定を行う必要がある。そのため紙幣Ａは中央銀行に送られる。中央銀行では、受領したこれら疑いのある紙幣Ａを詳細に鑑定する。鑑定の結果は、対象の紙幣も含め銀行に戻される。本実施例においては、正券でないと判別された紙幣Ｂは入金者を追跡するために利用される。
【００２７】
銀行では、返却された紙幣Ｂの情報を用いて利用者の追跡のためのデータの採取を行うために、銀行の係員は、紙幣Ｂをそれが当初入金されたＡＴＭ１に投入して、鑑別結果から紙幣データを得る。同一のＡＴＭ１の鑑別ユニット３で紙幣データを採取する理由は、紙幣鑑別のためのセンサの感度はＡＴＭ毎にばらつきがあるため、紙幣が扱われた当初のＡＴＭと同一のもので行うのが好ましいからである。
鑑別ユニット３で紙幣Ｂから採取された紙幣データは、ＡＴＭ１内の追跡紙幣データ記憶部３４４に一時的に保持されるが、ＡＴＭ１から転送されてＤＢ４２に格納される（第１の記憶モード）。
【００２８】
端末装置８では、処理装置によって機能付けられた検索エンジン２１を用いて、検索ＤＢ４１を検索して、追跡すべき紙幣のデータ４２´と検索データベース４１に格納されている紙幣データ４１´とを照合し、追跡する紙幣のデータ４２´と一致する紙幣データ４１´の検出を行う。その結果、紙幣追跡結果９０が端末装置８より出力される。この結果を参照して、正券でないと鑑定された紙幣Ｂを入金した利用者を特定することができる。
【００２９】
図４は紙幣追跡システムにおける紙幣情報格納用のＤＢ４の構成、及び検索エンジン２１による処理結果９０の一例を示す図である。
検索ＤＢ４１には、利用者がＡＴＭで紙幣を入金した際に採取された紙幣データが、取引データ（即ち、入出金金額、口座番号等の利用者に固有な情報）とともに検索データファイル４１１として記憶される。検索データファイル４１１は利用者による入出金の取引毎に１ファイルの構成としてもよいし、或いは取引される紙幣毎に１ファイルの構成としてもよい。
【００３０】
追跡用の紙幣データＤＢ４２には、利用者を追跡したい紙幣の紙幣データを記憶される。追跡用の紙幣のデータは、鑑別ユニット３で紙幣を光学的あるいは磁気的センサにより読取られた結果から、対象とする紙幣のイメージ情報が採取され、その採取毎に１つの追跡用紙幣データファイル４２１として構成される。
尚、鑑別ユニット３における紙幣の搬送状態（例えば搬送速度）により採取される紙幣データにばらつきが生じることがあるため、同じ紙幣に対するデータの採取は複数回行った方が好ましい。これは同じ紙幣を鑑別ユニット３に複数回搬送させることにより採取できる。
【００３１】
採取した紙幣データファイル４２１を用いて検索ＤＢ４１に記憶されている紙幣データと比較照合することにより、搬送状態等の依存を少なくして、紙幣の追跡することが可能となる。これは、検索エンジン２１を用いて検索ＤＢ４１を検索し、追跡すべき紙幣データ４２´と検索ＤＢ４１に記憶されている複数の紙幣データ４１１とを順次比較照合することにより行う。比較照合の結果、類似するものを検索すると、一致度により順位をつけて、検索ＤＢ４１の検索データファイル名４１１と紙幣ＩＤを、端末装置２の表示部（図示せず）又は印字部に出力する。併せて紙幣データと共に記憶されている個人の識別情報を含む取引情報に基づいて、紙幣を入金した利用者を特定することができる。同時に類似の程度を示す類似度を（例えば類似度：８０％のように度合を付して）出力する。この類似度が、追跡精度の判断基準となる。
【００３２】
図６〜図１０は検索データファイルの構成例を示す。
図６に検索データファイルの構成を示す。
図６に示す例において、検索データファイル４１１は、利用者がＡＴＭで入金の取引きを行う毎に１ファイルずつ形成されて、ＤＢ４１に記憶される。
１ファイルは、全体ヘッダ部４１１２、インデックス部４１１３、紙幣データ部４１１４から構成される。一回の取引きで複数枚の紙幣が同時に入金された場合には、紙幣データ部４１１４に複数枚毎の紙幣データが保存される。
【００３３】
図７は検索データファイルの各部の定義を示す。
【００３４】
ファイルの全体ヘッダ部４１１２は、ＡＴＭＩＤ、取引き日時、顧客情報を格納するエリアを有して構成される。その詳細を図８に示すように、ＡＴＭＩＤはＡＴＭを識別するためのＩＤであり、紙幣が入金されたＡＴＭの装置ＩＤを示す。取引き日時は、取引された年月日及び時刻である。顧客情報は、顧客の口座番号、氏名等である。
【００３５】
インデックス部４１１３は、全紙幣に対して共通の情報を格納する部分である。その詳細を図９に示すように、この部分には、鑑別ユニット３の識別情報であるシリアルＩＤ、入金の対象となる通貨、鑑別プログラムのバージョン、１取引きで入金された紙幣の枚数が記憶される。
【００３６】
検索エンジン２１で検索を行う場合、追跡用紙幣ＤＢ４２から選択された追跡対象の紙幣と同一通貨の検索の紙幣データとが比較照合されるが、対象通貨の情報は対象紙幣データを検索するキーデータとなる。鑑別プログラムのバージョンによって紙幣データ内容が異なることが考えられるため、検索エンジン２１は鑑別プログラムのバージョン情報を参照し、バージョンに応じた照合処理を行う。取引き紙幣の枚数の情報を参照することにより紙幣データ部４１１４に何枚の紙幣データが記憶されているかが分かる。尚、鑑別ユニットのシリアルＩＤは、鑑別ユニット３の中のメモリに保持されている。
【００３７】
図６の紙幣データ部４１１４は、鑑別ユニット３から取得された紙幣の判別結果から、紙幣毎にセンサの情報を格納する。光学センサや磁気センサによる紙幣の読取り結果から読取り信号をＡ／Ｄ変換した紙幣のイメージ情報を格納する。
【００３８】
図１０に紙幣データ部４１１４の詳細な内容を示す。紙幣ｎヘッダ部には、紙幣取引番号、金種、姿勢、カテゴリー番号、鑑別結果が記憶される。紙幣取引番号はＡＴＭに複数毎同時に入金された時の入金された順番を示す紙幣ＩＤである。金種は入金された紙幣の金種情報、姿勢は入金された時の紙幣の姿勢方向である。カテゴリー番号は鑑別ユニット３で判別された４つの分類番号である。鑑別結果は鑑別ユニット３により判定された結果であり、検索エンジン２１が比較照合する際に必要な判定結果を記憶する。センサデータ部には検索エンジン２１が使用する光学センサや磁気センサ等のデータが記憶される。
【００３９】
尚、追跡用紙幣データファイル４２１の構成は、上記検索用データファイル４１１の形式と同様であるが、検索用データファイル４１１に比べて、顧客の口座番号等の情報（図６〜１０）は不用となる。
【００４０】
図１２は、一実施例によるＴＡＭでの入金処理動作を説明するためのフローチャートである。
先ず、利用者はＡＴＭ１のガイダンス表示操作部３１に表示されている取引き項目から「入金取引」を選択する（Ｓ１００）。利用者が紙幣を紙幣入出金機構３２の入出金口にセットすると（Ｓ１０１）、紙幣は一枚づつ取り込まれて、鑑別ユニット３に搬送される。鑑別ユニット３ではまず搬送状態の判定が行なわれる（Ｓ１０２）。紙幣の傾きが極度に大きい状態で搬送された場合や、紙幣が許容される以上に搬送路の端側を搬送された場合、更には紙幣が重畳して搬送された場合等には、紙幣は入出金口に返却される（Ｓ１０５）。
【００４１】
正しく搬送された紙幣は鑑別ユニット３で金種及び真偽の鑑別処理が行われる。更に、紙幣の追跡のための、検索用の紙幣データの採取が行われる（Ｓ１０３）。鑑別ユニット３における鑑別処理（Ｓ１０３）の結果、紙幣とは認識されなかったもの（カテゴリー１）は入出金口へ返却される（Ｓ１０６）。一方、鑑別処理の結果、カテゴリー２，３，４と判定されたものは、一時保管金庫３５に保管される（Ｓ１０７）。上記の処理動作は、入出金口に紙幣がなくなるまで繰り返される（Ｓ１０２〜Ｓ１０８）。入出金口にセットされた紙幣が無くなるまで上記の処理は繰り替えされる（ＳＳ１０８）。
【００４２】
これらの紙幣データは、一旦ＡＴＭ１内の記憶ユニット３４、即ち正券と判定された金額及び顧客の口座番号等の情報は顧客情報記憶部３４２に格納され、紙幣のイメージを含む紙幣データは検索紙幣データ記憶部３４３に格納される。入金用の全ての紙幣からの紙幣データの取得が終わると、これらの紙幣データは図８，９、１０に示す関連情報と共に、ＡＴＭ１の記憶ユニット３４から支店内のネットワークを通って検索用ＤＢ４１に転送され、図６に示す形式でＤＢ４１に記憶される（Ｓ１０９）。
【００４３】
紙幣検索用データの送信が終わると、一時保管金庫３５に保管されていた紙幣はリサイクル金庫３７または保管用金庫３６に搬送して収納される。この場合、カテゴリー４と判定された紙幣（正券）はリサイクル金庫３７へ搬送して収納される（Ｓ１１２）。これに対してカテゴリー２またはカテゴリー３と判定された紙幣は、保管用金庫３６へ搬送して収納される（Ｓ１１１）。一時保管金庫３５に保管されていた全ての紙幣が関係先の保管庫３６、３７に収納された時点で入金処理は終了する（Ｓ１１３）。
【００４４】
ある顧客の一連の入金処理が終了すると、記憶ユニット３４に格納されている入金データは顧客情報と共にネットワーク５０を介して本店６０に送信され、ホストコンピュータ６１の処理の下、ＤＢ６２の口座残高が更新される。
【００４５】
図１４は、入金処理時における不正な紙幣の取扱いに関するＡＴＭの表示ガイダンスの表示例を示す。即ち、鑑別ユニット３において入金紙幣の鑑別の結果、カテゴリー２と判定された場合の、ガイダンス表示操作部３１の表示例である。カテゴリー２と判定された紙幣は顧客口座に入金されないため、ガイダンスとして、
「お客様が入金した紙幣は中央銀行で鑑定が必要です。申し訳ありませんが、入金受付できません。預かり証を発行いたします。鑑定結果は後日連絡します。」と表示される。
【００４６】
併せてカテゴリー２と判定された紙幣の金種とその枚数および合計金額も表示される。この表示は、入出金口にセットされた紙幣の鑑別が全て終わり、その顧客に対する紙幣データが検索用ＤＢ４１に送信される段階（図１２、Ｓ１０９）に合わせて行う。この段階では、正券の枚数、カテゴリー２又は３の紙幣の枚数は、記憶ユニット３内のデータを参照すれば分かるので、制御ユニット３０でそれらの枚数及び合計金額を計算して表示するように制御することは容易にできるであろう。
【００４７】
図１４の表示に従って処置された顧客に対しては、図１５に示すような紙幣預り証が発行される。
これは、図１４の表示のために記憶ユニット３４から得た情報をガイダンス表示操作部３１に送ると共に、印字ユニット３３にも送信する。印字ユニット３３では図１５に示すような案内文と金額等を紙幣預り証に印字し、これをＡＴＭ１から顧客に発行する。
【００４８】
図１３は、利用者を追跡するための紙幣データを採取する場合の動作を示すフローチャートである。
【００４９】
保管用金庫３６に保管されたカテゴリー２及び３に該当する紙幣は、中央銀行で詳細に鑑定される。その鑑定の結果、「正券でない」と判定された紙幣Ｂは銀行に返却される。銀行では、返却された紙幣Ｂと同様の紙幣を入金する者を追跡するために、その紙幣Ｂを当初鑑別したＡＴＭと同じＡＴＭ１に入金して、鑑別ユニット３により追跡のための紙幣データを採取する。
【００５０】
図１３の処理動作を行うに際して、図１６のガイダンス表示が併せて表示される。図１６は、紙幣データの採取を行う際にＡＴＭ１のガイダンス表示操作部３１の画面に表示されるガイダンスの例である。
【００５１】
先ず、図１６（Ａ）のガイダンス「追跡する紙幣を入金して下さい。」に従い、銀行の係員は、追跡したい紙幣Ｂを入出金口に投入する（Ｓ２０１）。その紙幣は入出金口から鑑別ユニット３に搬送される。鑑別ユニット３では、搬送された紙幣の傾き等について搬送状態のチェックが行われる（Ｓ２０２）。紙幣の傾きが所定値よりも大きい場合等にはリジェクト扱いとされ、入出金口に返却される（Ｓ２０３）。この場合、図１６（Ｂ）の「データ採取が失敗しました。再度紙幣を入金して下さい。」のガイダンス表示を行い、その紙幣Ｂを入出金口から再投入することを促す。
【００５２】
一方、正常に搬送された場合は、鑑別ユニット３で追跡のための紙幣のデータが採取される（Ｓ２０４）。追跡用紙幣のデータは追跡用ＤＢ４２に保存される（Ｓ２０５）。この保存処理が終わると、紙幣Ｂは入出金口に返却される（Ｓ２０６）。このとき表示画面には、図１６（Ｃ）に示すように、データ採取が終了した旨が表示され、併せて採取されたデータ数の合計が表示される。そして、再度データ採取をするかどうかを尋ねる（Ｓ２０７）。未だ紙幣Ｂが係員の手元に残っていて、紙幣データを採取する必要がある場合、或いは同じ紙幣Ｂに関して再度紙幣データを取得する必要がある場合には「ＹＥＳ」を操作する。これに対して、紙幣データの採取を終了する場合は、「ＮＯ」を操作する。
「ＹＥＳ」が選択された場合は、Ｓ２０１〜Ｓ２０７が繰り返される。「ＮＯ」が選択された場合は、（Ｄ）に示すように、紙幣データの採取が全て終了した旨が表示され、採取されたデータ数の合計、及び追跡用ＤＢ４２に記憶された追跡紙幣のデータファイル名が表示される。尚、データファイル名は係員がガイダンス表示操作部３１から入力して任意の名称が付与できる。
【００５３】
図１７は、利用者の追跡のために検索エンジン２１を実行させる場合の端末装置における表示ガイダンスの一例を示す図である。
【００５４】
検索エンジン２１を起動すると、表示画面には図１７（Ａ）に示すような、紙幣データの追跡を問うガイダンスが表示される。紙幣データの追跡を行う場合には「実行」を選択し、行わない場合には「キャンセル」を選択する。
紙幣データ追跡の実行が選択された場合、（Ｂ）に示すように、紙幣データの追跡条件を入力する画面が表示される。まず、対象とする検索用ＤＢを選択するため、検索用ＤＢ４１の名称を入力する。この実施例にでは検索用ＢＤ４１は支店１０ごとに在り、検索操作を行う端末装置２も支店ごとに在るので、まずは支店１０内の検索用ＤＢ４１を選択すれば良い。しかし、代替例では他の支店のＤＢ４１も指定できる。
検索用ＤＢ４１の選択に際しては、キーボードから検索用ＤＢ４１の名称を入力して良いし、或いは全ての検索用ＤＢ４１の名称を表示画面に表示し、その中から目的とするＤＢ４１を指定してもよい。
【００５５】
次に、追跡したい紙幣の紙幣データファイル４２１の名称を入力する。全ての追跡用の紙幣データファイル名を画面に表示し、その中から目的とするデータファイル名を指定して入力してもよい。
検索対象となるＡＴＭの指定は、ＡＴＭの識別情報であるＡＴＭＩＤを指定することにより行う。利用者により正券でない紙幣Ｂが入金されたＡＴＭが予め分かっている場合などには、そのＡＴＭＩＤを入力する。紙幣Ｂの扱われたＡＴＭが分からない場合或いは全ＡＴＭを対象とする場合には、「指定無」を入力する。ＡＴＭＩＤを指定した場合には、指定されたＡＴＭに入金された紙幣データに関してのみを対象として検索することになる。
【００５６】
追跡すべき紙幣の、利用者により入金された取引日時が予め分かっている場合は、取引日時を入力する。分からない場合は「指定無」を入力する。取引日時を指定した場合は、検索用ＤＢ４１に記憶されているデータファイルから、指定された取引日時に入金された紙幣データのみを対象として検索することになる。取引日時の入力は入金された日時が年までしか分からない場合は年のみを、月までしか分からない場合は年月のみを入力すればよい。
次に候補出力数を入力する。候補として出力すべき最大数を指定する。
【００５７】
このように、画面（Ｂ）に必要な項目が入力されて、検索の実行が指示されると、検索エンジン２１は、指定された検索用ＤＢ４１を、指定された条件で検索する。検索の結果、追跡用紙幣データＢに類似する紙幣データが抽出される。
【００５８】
図１７の（Ｃ）及び（Ｄ）は、紙幣データの検索実行の結果を示す画面表示例である。
追跡用紙幣データＢと類似度の高い順番に、指定された候補数の追跡結果が表示される。検索用ＤＢ４１に格納されている目的のデータファイルから、その名称と共に、一致度の度合いを示す類似度、紙幣ＩＤ、顧客情報が抽出されて画面に表示される。また（Ｄ）のように、検索用ＤＢ４１中の全紙幣データ数、カテゴリー２又は３と判定された紙幣データの数、及び検索対象となった紙幣データ数即ち追跡紙幣と同一金種の紙幣データ数が表示される。
【００５９】
この検索処理の結果、追跡すべき紙幣に関して類似度の高い紙幣を入金した顧客の口座番号から当該顧客が特定できる。その後は、捜査機関に連絡するなどの処置が取られることもある。
【００６０】
以上、一実施例について説明したが、本発明は上述の実施例に限定されることなく、種々変形して実施し得る。
【００６１】
検索ＤＢ４１に格納される紙幣データのファイルの形式に関しては、例えば図１１に示すように形成することもできる。この例は、入金される紙幣１枚毎に１ファイルを形成して検索ＤＢ４１に記憶する例である。
１ファイルを構成する全体ヘッダ部４１１２、インデックス部４１１３、紙幣データ部４１１４の内容は、図８から図１０に示すものと同じであるが、紙幣毎に１ファイルで記憶するため、インデックス部４１１３の取引き紙幣数と紙幣ｎヘッダ部の紙幣取引番号の情報は不要となる。
【００６２】
また、ＡＴＭでの入金処理動作の代替例として、図１２に示すフローチャートにおける、検索用ＤＢ４１への紙幣データの送信ステップ（Ｓ１０９）を変えることができる。
図１２では、入金された紙幣全てのデータ処理が終了した後、全ての紙幣の紙幣データを一括して検索ＤＢ４１へ送信して格納している（Ｓ１０９）。これに対して変形例では、入金用の紙幣１枚毎に鑑別ユニット３で採取された紙幣データを検索ＤＢ４１に送信するようにしても良い。
これは、図１２のフローチャートにおいて、検索用ＤＢ４１への紙幣データの送信（Ｓ１０９）をＳ１０４とＳ１０７の間に移すことにより変更できる。この場合、紙幣一枚ずつから採取された紙幣データは、例えば図１１に示すフォーマットのように形成されて、検索ＤＢ４１に格納される。
【００６３】
他の変形例として、検索用ＤＢ４１を備える場所を種々変更することが出来る。
図１に示す実施例では、検索用ＤＢ４１を支店毎に設けているが、このＤＢ４１はＡＴＭ１毎に設けても良い。また、全ての検索用ＤＢ４１を統合して本店６０のＤＢ６２内に設けるようにしても良い。更に他の変形として、支店、本店の境界を考慮せずに、例えば地域ごとに複数のＡＴＭで共通してＤＢ４１を設けるようにしても良い。
【００６４】
また、追跡用ＤＢ４２も、上述の検索用ＤＢ４１と同様に種々変形して設けられる。しかし、追跡用ＤＢ４２は検索用ＤＢ４１と同じ記憶装置内に設けず、或いは同じ場所に設けず、検索用ＤＢ４１から切り離して、追跡用ＤＢ４２を例えば本店６０のＤＢ６２内に設け、全ての検索用ＤＢ４１からアクセスできるように共用しても良い。
【００６５】
また、中央銀行から戻された紙幣Ｂから追跡用の紙幣データを採取するのは、前述の実施例では当初のＡＴＭに入金して行うとしたが、これに限らず、例えば他のＡＴＭ、或いは本店にあるＡＴＭ等で行ってもよい。
【００６６】
他の実施の態様：
特許請求の範囲に記載した態様以外に、更に以下のものがあげられる。
【００６７】
（１９）前記ファイルの全体ヘッダ部は、利用者が利用した日時の情報、利用されたＡＴＭのＩＤ、及び利用者の口座番号を含むデータを格納し、該インデックス部は、鑑別ユニットのＩＤ、対象となる通貨、取引き紙幣の枚数に関するデータを格納し、紙幣データ部は、鑑別ユニットから取得された紙幣のＩＤ、及びセンサから得られた紙幣のイメージ情報、を記憶することを特徴とする請求項１７記載の紙幣情報処理システム。
【００６８】
（２０）中央銀行で、真でないと判別された紙幣に関して、該記憶装置を参照して該紙幣が扱われたＡＴＭを特定し、特定されたＡＴＭに該紙幣を預入れて、該鑑別ユニットで該紙幣の鑑別を行って紙幣に関する情報を得ることを特徴とする請求項１６記載の紙幣情報処理システム。
【００６９】
（２１）利用者に固有の情報として利用者の口座番号を用いることを特徴とする請求項９記載の紙幣の処理方法。
【００７０】
（２２）前記第２のＤＢはＡＴＭに備えられ、該コンピュータはセンタシステムに備えられることを特徴とする請求項１２に記載の紙幣取引システム。
【００７１】
（２３）前記表示手段には、紙幣情報の照合の結果が類似度の高い順に複数の候補が表示されることを特徴とする請求項１５に記載の紙幣取引システム。
【００７２】
（２４）前記コンピュータは、検索エンジンを備えることを特徴とする請求項１２又は１６記載のシステム。
【００７３】
【発明の効果】
本発明によれば、鑑別ユニットで正券でないと判別された紙幣に関して、利用者を追跡するために必要な紙幣情報を得て記憶装置に確保しておきことができる。この確保された紙幣情報に関連して、通常の入金取引きで採取して記憶装置に蓄積されている紙幣情報と照合処理することにより、その紙幣を使用した利用者を特定することができる。
【図面の簡単な説明】
【図１】本発明の一実施例が適用される銀行の紙幣取引システムを示す図。
【図２】ＡＴＭの構成を示すブロック図。
【図３】本発明の一実施例による紙幣データの追跡システムにおける動作の概略を示す図。
【図４】紙幣情報格納用のＤＢ４の構成及び追跡結果の一例を示す図。
【図５】鑑別ユニットにより鑑別される紙幣をカテゴリー分類した場合の一例を示す図。
【図６】検索ＤＢ４１における紙幣データのファイルの一構成例を示す図。
【図７】検索データファイルの概要を示す図。
【図８】全体ヘッダ部データの内容を説明するための図。
【図９】インデックス部データの内容を説明するための図。
【図１０】紙幣データ部のデータの内容を説明するための図。
【図１１】他の実施例による検索用ＤＢ４１におけるファイルの構成例を示す図。
【図１２】本発明の一実施例によるＡＴＭにおける入金処理動作を示すフローチャート。
【図１３】利用者を追跡するための紙幣データを採取する場合の動作を示すフローチャート。
【図１４】入金処理時における不具合な紙幣の取扱いに関するＡＴＭのガイダンス表示部操作の表示例を示す図。
【図１５】ＡＴＭから発行される紙幣の預り証の一例を示す図。
【図１６】利用者追跡用の紙幣データを採取する場合におけるＡＴＭのガイダンス表示操作部の表示例を示す図。
【図１７】利用者追跡のために検索エンジンを実行させる場合の端末装置における表示ガイダンスの一例を示す図。
【符号の説明】
１    ＡＴＭ、                ２    端末装置、        ２１    検索エンジン、
３    鑑別ユニット、          ４    紙幣情報ＤＢ
４１    検索用ＤＢ、        ４２    追跡用紙幣ＤＢ、
１０    支店、              ６０    本店、            ９０    検索結果、
Ａ    入金紙幣、        Ｂ    正券でない紙幣
【図１】
2005004486.tif 000003
【図２】
2005004486.tif 000004
【図３】
2005004486.tif 000005
【図４】
2005004486.tif 000006
【図５】
2005004486.tif 000007
【図６】
2005004486.tif 000008
【図７】
2005004486.tif 000009
【図８】
2005004486.tif 000010
【図９】
2005004486.tif 000011
【図１０】
2005004486.tif 000012
【図１１】
2005004486.tif 000013
【図１２】
2005004486.tif 000014
【図１３】
2005004486.tif 000015
【図１４】
2005004486.tif 000016
【図１５】
2005004486.tif 000017
【図１６】
2005004486.tif 000018
【図１７】
2005004486.tif 000019